(57)【要約】【課題】催事場で催しを行う主催者へ文字やイメージなどの慶弔情報をインターネットを介して送信することができるインターネットによる情報配信システムを提供する。【解決手段】催事場などにおいて催しを行う主催者１へ情報を送る多数の依頼主２ａ…と、この依頼主から送られてきた情報を受けて該印刷情報を記録部材へ印刷し、この印刷情報を主催者へ伝達する催事場における多数の情報伝達者３とからなり、これら依頼主と情報伝達者とを、通信手段４によりインターネット５を介してホストコンピュータ６へ接続させてあり、情報の送信とその情報の受信とは、通信手段を介してインターネット上でそれぞれ行うものであって、ホストコンピュータは、多数の依頼主が主催者へ送る情報を作成するための各種の様式情報と、多数の情報伝達者の個別情報とを格納してあり、登録された様式情報と個別情報とは、依頼主がインターネットを介して閲覧できるようにさせる。【選択図】    図１
2005135370.tif 000002
【特許請求の範囲】
【請求項１】
催事場などにおいて催しを行う主催者へ印刷情報を送る多数の依頼主と、この依頼主から送られてきた情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあることを特徴とするインターネットによる情報配信システム。
【請求項２】
催事場などにおいて慶弔などの催しを行う主催者へ慶弔文などの印刷情報を送る多数の依頼主と、この依頼主から送られてきた前記慶弔文などの印刷情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあって、
前記ホストコンピュータは、前記インターネットのホームページ上において、前記依頼主が行う前記催事場の選択と前記様式情報の選択によって決定した送信情報を格納し、前記催事場における情報伝達者へ自動配信することを特徴とするインターネットによる情報配信システム。
【請求項３】
催事場などにおいて慶弔などの催しを行う主催者へ慶弔文などの印刷情報を送る多数の依頼主と、この依頼主から送られてきた前記慶弔文などの印刷情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあって、
前記ホストコンピュータは、前記インターネットのホームページ上において、前記依頼主が行う前記印刷情報の伝達先と前記様式情報の選択によって決定した送信情報を格納し、前記印刷情報に基づいて前記ホストコンピュータ上において記録部材を自動生成した該記録部材の印刷ファイルを作成し、この印刷ファイル前記情報伝達者へ送信して、この印刷ファイルに基づいて前記主催者へ前記記録部材を伝達するための印刷物を作成し配信することを特徴とするインターネットによる情報配信システム。
【請求項４】
依頼主からの主催者への情報は、文字、画像、写真のうちの少なくとも一種またはこれらの組み合わせからなることを特徴とする請求項１，２または３記載のインターネットによる情報配信システム。
【発明の詳細な説明】
【技術分野】
【０００１】
本発明は、催事場で催しを行う主催者へ文字やイメージなどの慶弔情報をインターネットを介して送信することができるインターネットによる情報配信システムに関する。
【背景技術】
【０００２】
従来、例えば、結婚式場などで執り行われる結婚披露宴の主催者に対して、その知人・友人などがお祝いの言葉を贈るときは、電報を利用することが一般的であった。
しかしながら、このものは、あらかじめ定められた様式や形態に文章を添えるといった、いわゆる限定されたものであった。
【０００３】
そのため、お祝いの言葉を贈る者は、自分な十分な気持ちや想いをその主催者へ伝えることができない場合が多々あった。
また、実際に送られるであろう電報の外観的な様子も、前記贈る者には最終確認ができず、とかく、儀礼的なものに終わることが多かった。
【発明の開示】
【発明が解決しようとする課題】
【０００４】
本発明は、前記した問題点を解決するためになされたもので、催事場などにおいて催しを行う主催者へ印刷情報を送る多数の依頼主と、この依頼主から送られてきた情報を受けて該印刷情報を記録部材へ印刷し、この印刷情報を主催者へ伝達する催事場における多数の情報伝達者とからなり、これら依頼主と情報伝達者とを、通信手段によりインターネットを介してホストコンピュータへ接続させてあり、前記情報の送信とその情報の受信とは、通信手段を介してインターネット上でそれぞれ行うものであって、ホストコンピュータは、多数の依頼主が主催者へ送る情報を作成するための各種の様式情報と、多数の情報伝達者の個別情報とを格納してあり、登録された様式情報と個別情報とは、依頼主がインターネットを介して閲覧できるようにさせることにより、催事場で催しを行う主催者へ文字やイメージなどの慶弔情報をインターネットを介して送信することができるインターネットによる情報配信システムを提供することを目的としている。
【課題を解決するための手段】
【０００５】
前記した目的を達成するための本発明の手段は、
催事場などにおいて催しを行う主催者へ印刷情報を送る多数の依頼主と、この依頼主から送られてきた情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあることを特徴とするインターネットによる情報配信システム。
【０００６】
催事場などにおいて慶弔などの催しを行う主催者へ慶弔文などの印刷情報を送る多数の依頼主と、この依頼主から送られてきた前記慶弔文などの印刷情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあって、
前記ホストコンピュータは、前記インターネットのホームページ上において、前記依頼主が行う前記催事場の選択と前記様式情報の選択によって決定した送信情報を格納し、前記催事場における情報伝達者へ自動配信するインターネットによる情報配信システムにある。
【０００７】
催事場などにおいて慶弔などの催しを行う主催者へ慶弔文などの印刷情報を送る多数の依頼主と、この依頼主から送られてきた前記慶弔文などの印刷情報を受けて該印刷情報を記録部材へ印刷し、この印刷情報を前記主催者へ伝達する前記催事場における多数の情報伝達者とからなり、
これら依頼主と情報伝達者とを、通信手段によりインターネットを介してホストコンピュータへ接続させてあり、前記情報の送信とその情報の受信とは、前記通信手段を介して前記インターネット上でそれぞれ行うものであって、
前記ホストコンピュータは、前記多数の依頼主が前記主催者へ送る情報を作成するための各種の様式情報と、前記多数の情報伝達者のそれぞれの個別情報とを格納してあり、
前記登録された前記様式情報と個別情報とは、前記依頼主が前記インターネットを介して閲覧できるようにさせてあって、
前記ホストコンピュータは、前記インターネットのホームページ上において、前記依頼主が行う前記印刷情報の伝達先と前記様式情報の選択によって決定した送信情報を格納し、前記印刷情報に基づいて前記ホストコンピュータ上において記録部材を自動生成した該記録部材の印刷ファイルを作成し、この印刷ファイルに基づいて前記主催者へ前記記録部材を伝達するための印刷物を作成し配信するインターネットによる情報配信システムにある。
【０００８】
依頼主からの主催者への情報は、文字、画像、写真のうちの少なくとも一種またはこれらの組み合わせからなる。
【発明の効果】
【０００９】
本発明は、インターネットにおけるホームページ上において、催事場で催しを行う主催者へ文字やイメージなどの慶弔情報を贈ることができ、また、その慶弔情報を最終確認をした上で贈ることができる。
【発明を実施するための最良の形態】
【００１０】
次に、本発明に関するインターネットによる情報配信システム（インターネットによる情報配信方法）の実施の一例を図面に基づいて説明する。
図１は、本発明実施例のインターネットによる情報配信システム（インターネットによる情報配信方法）Ａの第一例の基本的なフローシートを示すものであり、催事場などにおいて催しを行う主催者１へ情報を送る多数の依頼主２ａ，２ｂ，２ｃ，２ｄ，２ｅ…と、この依頼主２ａ，２ｂ，２ｃ，２ｄ，２ｅ…から送られてきた情報を受けて該印刷情報を記録部材へ印刷し、この印刷情報を主催者１へ伝達する前記催事場における多数の情報伝達者３とからなり、これら依頼主２ａ，２ｂ，２ｃ，２ｄ，２ｅ…と情報伝達者３とを、通信手段４によりインターネット５を介してホストコンピュータ６へ接続させてあり、前記情報の送信とその情報の受信とは、通信手段４を介してインターネット５上でそれぞれ行うものであって、ホストコンピュータ６は、多数の依頼主２ａ，２ｂ，２ｃ，２ｄ，２ｅ…が主催者１へ送る情報を作成するための各種の様式情報と、多数の情報伝達者３のそれぞれの個別情報とを格納してあり、前記登録された前記様式情報と個別情報とは、依頼主２ａ，２ｂ，２ｃ，２ｄ，２ｅ…がインターネット５を介してホームページ（サイト）上にアクセスすることで自由かつ任意に閲覧できるようにさせてある。
【００１１】
なお、前記各種の様式情報とは、依頼主２ａ，２ｂ，２ｃ，２ｄ，２ｅ…が主催者１へ送る情報であって、カード状となる台紙１４のサンプルや、イラストや図形などのイメージ１６、主催者１の名前などの固有名、あるいは、贈りたいメッセージ、更には、依頼主（送り主）２ａ，２ｂ，２ｃ，２ｄ，２ｅ…の名前などの各種のデータ１８などのである。
また、情報伝達者３の個別情報とは、該情報伝達者３の名称や住所、電話番号あるいは備考など情報伝達者３を特定して、後記する端末機におけるディスプレイへ表示し得る必要な情報のことである。
【００１２】
前記した主催者１は、例えば、催事場などにおいて結婚披露宴の当事者や葬儀における喪主、あるいは、各種の発表会、イベント等の催しを行う個人や団体などであり、更には、母の日、父の日、入学祝い、等のお祝い事を受ける当事者であり、一依頼主２ａに対して単体あるいは複数が対応するものである。
なお、催事場は、一般のホテル会場や催事を行い得る場所、結婚式場や結婚披露宴の会場、結婚紹介所、旅行会社、貸衣装店など、更には、葬儀場や告別式会場等の任意のものが選定し得る。
【００１３】
また、前記した依頼主２ａ，２ｂ，２ｃ，２ｄ，２ｅ…は、主催者１の催しに対して慶弔の意等の情報を贈るものであって、インターネット５へ通信手段４を介して接続した端末機（コンピュータ）、あるいは該端末機（コンピュータ）をディスプレイを通じて操作する者であり、一主催者１に対して単体あるいは複数が対応するものである。
【００１４】
前記した情報伝達者３は、依頼主２ａ，２ｂ，２ｃ，２ｄ，２ｅ…から送られてきた慶弔文などの印刷情報を受けて該印刷情報を記録部材へ印刷し、この印刷情報を主催者１へ伝達するもので、前記催事場においてインターネット５へ通信手段４を介して接続した端末機（コンピュータ）、あるいは該端末機（コンピュータ）をディスプレイを通じて操作する者である。
【００１５】
前記した通信手段４は、依頼主２ａ，２ｂ，２ｃ，２ｄ，２ｅ…と情報伝達者３とが有するパーソナルコンピュータなどの端末機であるコンピュータや携帯端末機などとを、有線や無線等を利用して接続し、電気的信号の双方向通信（上りと下りの信号のやり取り）ができる手段である。
【００１６】
また、前記したインターネット５は、通信手段４を介して情報通信ネットワークが構築されたものであって、ＷＷＷや電子メール，ＦＴＰ（ファイル転送），ネットニューズ（掲示板・公開議論場），ＴＥＬＮＥＴ（他の計算機資源へのアクセス），ファイル検索，情報検索，データーベース検索などのサービスである。
【００１７】
前記したホストコンピュータ６は、インターネット５によりネットワークを構築する際に使用されるもので、一般的にはサーバマシンあるいはサーバ専用機等と呼ばれるものである。
このホストコンピュータ６は、情報伝達者２の管理下（メンテナンス等も含める）にあることが好ましいが、他の中継接続者側に設置したものや、他のレンタルサーバなどを利用しても良い。
該ホストコンピュータ６は、前記した多数の依頼主２ａ，２ｂ，２ｃ，２ｄ，２ｅ…が主催者１へ送る情報を作成するための各種の様式情報と、多数の情報伝達者３，３，３…のそれぞれの個別情報とを格納してあり、前記登録された前記様式情報と個別情報とは、依頼主２ａ，２ｂ，２ｃ，２ｄ，２ｅ…がインターネット５を介して端末機におけるディスプレイ上において任意にあるいは所定の認証作業を経て閲覧できるようにさせてある。
【００１８】
また、このホストコンピュータ６は、インターネット５のホームページ上において、依頼主２ａ，２ｂ，２ｃ，２ｄ，２ｅ…が行うあらかじめ複数を該ホストコンピュータ６に登録してある前記催事場の選択と前記様式情報の選択によって決定した送信情報を格納し、所定に演算しかつ、所定の処理を行って、依頼主２ａ，２ｂ，２ｃ，２ｄ，２ｅ…が選択した前記催事場における情報伝達者３へ自動配信するものである。
【００１９】
そして、本発明実施例における一実施例は、インターネットによる情報配信システム（インターネットによる情報配信方法）Ａにあって、以下の作用を奏する。
結婚式のお祝いのメッセージを贈る場合は、まず、ホテル等の催事場などにおいて慶事などの催しを、例えば、結婚披露宴を行う新郎・新婦である主催者１へお祝いの言葉である慶弔文などの印刷情報を送る友人などの依頼主２ａ，２ｂ，２ｃ，２ｄ，２ｅ…は、該依頼主２ａ，２ｂ，２ｃ，２ｄ，２ｅ…のローカルコンピュータである端末機から通信手段４を介してインターネット５へ接続させ、ホストコンピュータ６に格納されているホームページ（サイト）へ入る。
【００２０】
そして、端末機におけるディスプレイ上において、図２に示すような、トップページにおいて、催事場の選択画面により、主催者１が結婚披露宴を執り行う催事場（式場）をまず県（静岡）１１から選択する。
【００２１】
すると、選択された県（静岡）１１において、すでにホストコンピュータ６に登録されている催事場（式場）が、図３に示すように、住所名称等を列挙して表示されるので、この中から主催者１の催事場（式場）を選び、選択ボタン１２を押す。
【００２２】
この選択ボタン１２の実行により、図４に示すように、選択された催事場（式場）が表示されるので、この選択に間違いがなければ確認ボタン１３を押すと、図５に示すような、実際に主催者１へ贈られる情報の作成画面が現れる。
【００２３】
これにより、画面上のいくつかのあらかじめ用意された台紙となるサンプル１４のいくつかが表示されるので、好みの台紙１４を選び選択ボタン１５を押す。
次に、この選択ボタン１５の実行により、図６に示すように、この台紙１４に貼付されるイメージ１６を表示された画面が現れるので、これらいくつかのサンプルイメージ１６から好みのものを選び、選択ボタン１７を押す。
また、この選択ボタン１７の実行によって、図７に示すように、テキスト（本文）原稿の入力画面が表示される。このフォーム内へ新郎・新婦名、メッセージ、依頼主（送り主）２ａ，２ｂ，２ｃ，２ｄ，２ｅ…の名前などのデータ１８をそれぞれ入力し、確認ボタン１９を押す。
【００２４】
この確認ボタン１９の実行により、図８に示すように、今まで選択しかつ入力してきたそれぞれのデータ（様式情報）がプレビュー画面２０上へ所定にレイアウトされて表示される。（以上が様式情報の入力工程）
この表示内容を確認し、該表示に誤りがなければＯＫボタンを押し、図９に示すような、写真や他のイメージをホストコンピュータ６へ送信（アップロード）するための画面２２が表示される。この画面２２において、必要に応じて、写真や他のイメージをそのファイルの場所やファイル名などの一連のデータ２３を入力し、送信ボタン２４を押すことで、ホストコンピュータ６へ送信（アップロード）される。（以上が入力された様式情報の送信工程）
【００２５】
こうして、一連の作業が終わると、依頼主（送り主）２ａ，２ｂ，２ｃ，２ｄ，２ｅ…側の端末機におけるディスプレイには、送信ボタン２４の実行によって、図１０に示すような、完成品プレビュー画面において、例えば、メッセージカード２５の状態で表示されると共に、依頼主（送り主）２ａ，２ｂ，２ｃ，２ｄ，２ｅ…が主催者１へ送る情報としててホストコンピュータ６に格納される。（以上がホストコンピュータ６による様式情報の格納・演算処理工程）
【００２６】
ホストコンピュータ６は、依頼主（送り主）２ａ，２ｂ，２ｃ，２ｄ，２ｅ…から送信された情報に基づいて、該格納された情報を通信手段４を介してインターネット５により、催事場における情報伝達者３の端末機へ自動配信する。（以上が格納情報の自動配信工程）
情報伝達者３はこの受け取った情報を前記端末機に接続させた印刷機に前記情報を送って、紙等の所定の記録部材へ印刷することで、依頼主（送り主）２ａ，２ｂ，２ｃ，２ｄ，２ｅ…の主催者１へのメッセージが記録部材上に具現化される。（以上が配信された情報の印刷工程）
その後は、必要に応じて、催事場のものが適宜主催者１へ手渡すことで、前記した一連の作業が終了する。
【００２７】
次に、図１１においては、本発明実施例のインターネットによる情報配信システム（インターネットによる情報配信方法）Ａの第二例の基本的なフローシートを示すものであり、基本的には前記第一例と同様に、催事場などにおいて慶弔などの催しを行う主催者１へ慶弔文などの印刷情報を送る多数の依頼主２ａ，２ｂ，２ｃ，２ｄ，２ｅ…と、この依頼主２ａ，２ｂ，２ｃ，２ｄ，２ｅ…から送られてきた前記慶弔文などの印刷情報を受けて該印刷情報を記録部材へ印刷し、この印刷情報を主催者１へ伝達する前記催事場における多数の情報伝達者３とからなり、これら依頼主２ａ，２ｂ，２ｃ，２ｄ，２ｅ…と情報伝達者３とを、通信手段４によりインターネット５を介してホストコンピュータ６へ接続させてあり、前記情報の送信とその情報の受信とは、通信手段４を介してインターネット５上でそれぞれ行うものであって、ホストコンピュータ６は、多数の依頼主２ａ，２ｂ，２ｃ，２ｄ，２ｅ…が主催者１へ送る情報を作成するための各種の様式情報と、多数の情報伝達者３のそれぞれの個別情報とを格納してあり、前記登録された前記様式情報と個別情報とは、依頼主２ａ，２ｂ，２ｃ，２ｄ，２ｅ…がインターネット５を介して閲覧できるようにさせてあって、ホストコンピュータ６は、インターネット５のホームページ上において、依頼主２ａ，２ｂ，２ｃ，２ｄ，２ｅ…が行う前記印刷情報の伝達先と前記様式情報の選択によって決定した送信情報を格納し、前記印刷情報に基づいてホストコンピュータ６上において記録部材を自動生成した該記録部材の印刷ファイルを作成し、この印刷ファイルに基づいて主催者１へ前記記録部材を伝達するための印刷物を作成し配信するものである。
【００２８】
なお、前記各種の様式情報や、情報伝達者３の個別情報，、主催者１，催事場，依頼主２ａ，２ｂ，２ｃ，２ｄ，２ｅ…，情報伝達者３，通信手段４，インターネット５，ホストコンピュータ６の各構成は、前述した本発明実施例における第一例と同様に構成されるもので、詳細な説明は前記第一例の説明を援用する。
【００２９】
そして、本発明実施例における第二例は、インターネットによる情報配信システム（インターネットによる情報配信方法）Ａにあって、以下の作用を奏する。
例えば、結婚式のお祝いのメッセージを贈る場合は、まず、ホテル等の催事場などにおいて慶事などの催しを、例えば、結婚披露宴を行う新郎・新婦である主催者１へお祝いの言葉である慶弔文などの印刷情報を送る友人などの依頼主２ａ，２ｂ，２ｃ，２ｄ，２ｅ…は、該依頼主２ａ，２ｂ，２ｃ，２ｄ，２ｅ…のローカルコンピュータである端末機から通信手段４を介してインターネット５へ接続させ、ホストコンピュータ６に格納されているホームページ（サイト）へ入る。
【００３０】
そして、端末機におけるディスプレイ上において、サイトトップページから、図１２に示すような、メッセージカードである記録部材２５の届け先（伝達先）を設定する選択画面３１により、主催者１が結婚披露宴を執り行う催事場（式場）や、実際に記録部材２５を届ける届け先（主催者１の自宅や主催者１が望む、あるいは、受け取りやすい場所等の伝達先）を、画面上から選択したり、それぞれのテキストボックスに直接テキスト入力等を行った後、確認ボタン３２を実行する。
【００３１】
この確認ボタン３２の実行により、図１３に示すように、届先指定画面が表示されるので、この選択に間違いがなければ決定ボタン３４を押すと、次に、図１４に示すような、主催者１が執り行う挙式予定日と届け希望日を入力するための作成画面３５が現れる。したがって、それぞれのテキストボックスにテキスト入力等を行った後、確認ボタン３６を実行する。これにより、図１５に示すような、主催者１が執り行う挙式予定日と届け希望日の入力確認画面３７が現れる。この入力確認画面３７上の入力データに間違えがなければ決定ボタン３８を実行する。
【００３２】
これにより、図１６に示すように、次の画面上において、いくつかのあらかじめ用意された台紙となるサンプル１４のいくつかが表示されるので、好みの台紙１４を選ぶと共に、同時に表示された台紙１４用のフレームパターン３９を選び確認ボタン４０を実行する。
すると、確認ボタン４０の実行により、図１７に示すように、前記工程により選択された台紙サンプル１４とフレームパターン３９の確認画面４１が現れるので、この選択確認画面４１上の選択データに間違えがなければ決定ボタン４２を実行する。
【００３３】
次に、この決定ボタン４２の実行により、図１８に示すように、この台紙１４に貼付されるイメージ１６を表示された画面が現れるので、これらいくつかのサンプルイメージ１６から好みのものを選び、確認ボタン４３を実行する。
また、この確認ボタン４３の実行によって、図１９に示すように、イメージ選択確認画面１６ａが現れ、この選択確認画面１６ａ上の選択データに間違えがなければ決定ボタン１６ｂを実行する。
【００３４】
決定ボタン１６ｂの実行により、図２０に示すように、テキスト（本文）原稿の入力画面が表示される。このフォーム内へ新郎・新婦名、メッセージ、依頼主（送り主）２ａ，２ｂ，２ｃ，２ｄ，２ｅ…の名前などのデータ１８を、画面上のテキストボックスへそれぞれ入力し、確認ボタン４４を押す。
この確認ボタン４４の実行により、図２１に示すように、前記工程により入力されたデータ１８の確認画面４５が現れるので、この選択確認画面４１上の入力データに間違えがなければ決定ボタン４６を実行する。
【００３５】
なお、メッセージカードである記録部材２５には、依頼主（送り主）２ａ，２ｂ，２ｃ，２ｄ，２ｅ…のオリジナルな画像（写真やイラストなどのイメージ）を添付することもできるもので、前記決定ボタン４６の実行により、図２２に示すような選択画面４７が現れる。したがって、オリジナル画像を添付する場合には、選択画面４７上のアドレス表示ボックス４８にローカルコンピュータである端末機やインターネットの適当なウエブ（Web）に格納されている画像ファイルを表示させ、サーバーへ送信するボタン４９を実行して、サーバー（ホストコンピュータ６）へアップロードすると共に、次の完成された記録部材２５のプレビュー画面５１を表示させる。
オリジナル画像を使用しない場合には、選択画面４７上の「写真は使わない」の表示部５０をクリックすることで、この工程はスキップされ、前記プレビュー画面５１が現れる。
【００３６】
したがって、図２３に示すように、今まで選択しかつ入力してきたそれぞれのデータ（様式情報）がプレビュー画面５１上へ所定にレイアウト（自動生成）されて表示される。（以上が様式情報の入力工程）
この表示内容を確認し、該表示に誤りがなければ、カードを確認するボタン５２を押して、サーバー（ホストコンピュータ６）へ記録部材２５の完了信号を送ることで、該  サーバー（ホストコンピュータ６）に依頼主２ａ，２ｂ，２ｃ，２ｄ，２ｅ…が行う前記印刷情報の伝達先と前記様式情報の選択によって決定した送信情報を格納するものである。
【００３７】
また、サーバー（ホストコンピュータ６）においては、前記印刷情報に基づいて記録部材２５を自動生成した該記録部材２５の印刷ファイルを作成し、あらかじめこのホストコンピュータに登録された記憶に基づいて、該当する情報伝達者３へこの印刷ファイルをインターネット５を介して、あるいは、専用回線である通信手段４により送信する。
印刷ファイルを受信した情報伝達者３は、この印刷ファイルに基づいて、主催者１へ記録部材２５を伝達するための印刷物を作成するもので、郵送等の適宜な手段によるオフラインにより配信するものである。なお、この記録部材２５の伝達は、インターネット５を介するオンラインであっても構わない。
【００３８】
情報伝達者３が行う記録部材２５の印刷は、該情報伝達者３が関係する印刷所３ａにて行うものである。
上記のように、依頼主２ａ，２ｂ，２ｃ，２ｄ，２ｅ…がインターネット上において前記印刷情報の伝達先と前記様式情報の選択によって決定した送信情報が、記録部材２５として印刷作成され、主催者１の自宅等の任意の届け先へ届けられるものである。
【００３９】
なお、この第二の実施例にあって、前記第一実施例と同様に、主催者１が催事を執り行う催事場へ、前記自動作成される記録部材２５を直接伝達しても良いもので、その場合、その届け先を、図１２に示すような、記録部材２５の届け先（伝達先）を設定する選択画面３１により、主催者１が結婚披露宴の催事を執り行う催事場（式場）等を選択することで、該届け先が決定される。この届け先は、上記の範囲に限定されないもので、任意のものが選定される。
【図面の簡単な説明】
【００４０】
【図１】本発明に関するインターネットによる情報配信システムの第一例の概略を示す説明図である。
【図２】本発明に関するインターネットによる情報配信システムの第一実施例を示すもので、依頼主のメッセイジ作成工程における催事場を県から検索するサイト画面の概略の説明図である。
【図３】図２におけるインターネットによる情報配信システムのリストアップされた検索するサイト画面の催事場を示す概略の説明図である。
【図４】図３においてインターネットによる情報配信システムの特定された検索するサイト画面の催事場を示す概略の説明図である。
【図５】図１においてインターネットによる情報配信システムのメッセージの台紙を選択するサイト画面を示す概略の説明図である。
【図６】図１においてインターネットによる情報配信システムのメッセージのイメージを選択するサイト画面を示す概略の説明図である。
【図７】図１においてインターネットによる情報配信システムのメッセージの本文等を入力するサイト画面を示す概略の説明図である。
【図８】図１においてインターネットによる情報配信システムのメッセージのプレビュー確認するサイト画面を示す概略の説明図である。
【図９】図１においてインターネットによる情報配信システムのメッセージの写真等を送信するサイト画面を示す概略の説明図である。
【図１０】図１においてインターネットによる情報配信システムのメッセージの完成品をプレビューするサイト画面を示す概略の説明図である。
【図１１】本発明に関するインターネットによる情報配信システムの第二例の概略を示す説明図である。
【図１２】本発明に関するインターネットによる情報配信システムの第二実施例を示すもので、依頼主のメッセイジ作成工程における届け先を作成するサイト画面の概略の説明図である。
【図１３】図１２におけるインターネットによる情報配信システムの届け先入力確認用サイト画面を示す概略の説明図である。
【図１４】図１３においてインターネットによる情報配信システムの特定された届け先データに対する予定日を入力するサイト画面を示す概略の説明図である。
【図１５】図１４においてインターネットによる情報配信システムの入力確認用サイト画面を示す概略の説明図である。
【図１６】図１１においてインターネットによる情報配信システムのメッセージのイメージを選択するサイト画面を示す概略の説明図である。
【図１７】図１６においてインターネットによる情報配信システムのイメージ入力確認用サイト画面を示す概略の説明図である。
【図１８】図１１においてインターネットによる情報配信システムのメ更に他のイメージ入力用サンプルイメージを選択するサイト画面を示す概略の説明図である。
【図１９】図１８においてインターネットによる情報配信システムのイメージ選択確認用サイト画面を示す概略の説明図である。
【図２０】図１１においてインターネットによる情報配信システムのメッセージを入力するサイト画面を示す概略の説明図である。
【図２１】図２０においてインターネットによる情報配信システムのメッセージ入力確認用サイト画面を示す概略の説明図である。
【図２２】図１１においてインターネットによる情報配信システムの依頼主のオリジナルイメージを入力するサイト画面を示す概略の説明図である。
【図２３】図１１においてインターネットによる情報配信システムの記録部材プレビュー用サイト画面を示す概略の説明図である。
【符号の説明】
【００４１】
Ａ…インターネットによる情報配信システム．１…主催者．２ａ，２ｂ，２ｃ，２ｄ，２ｅ…依頼主．３…情報伝達者．４…通信手段．５…インターネット．６…ホストコンピュータ．
【図１】
2005135370.tif 000003
【図２】
2005135370.tif 000004
【図３】
2005135370.tif 000005
【図４】
2005135370.tif 000006
【図５】
2005135370.tif 000007
【図６】
2005135370.tif 000008
【図７】
2005135370.tif 000009
【図８】
2005135370.tif 000010
【図９】
2005135370.tif 000011
【図１０】
2005135370.tif 000012
【図１１】
2005135370.tif 000013
【図１２】
2005135370.tif 000014
【図１３】
2005135370.tif 000015
【図１４】
2005135370.tif 000016
【図１５】
2005135370.tif 000017
【図１６】
2005135370.tif 000018
【図１７】
2005135370.tif 000019
【図１８】
2005135370.tif 000020
【図１９】
2005135370.tif 000021
【図２０】
2005135370.tif 000022
【図２１】
2005135370.tif 000023
【図２２】
2005135370.tif 000024
【図２３】
2005135370.tif 000025